(57)【要約】塗布器デバイス６が、組織または骨に対する接着剤または密閉剤の２つ以上の組成物を混合し塗布するために提供される。塗布器デバイスは、概して、ハンドルに取り外し可能に取り付けられた二連式シリンジを含むハンドルを有する塗布器アセンブリと、塗布器アセンブリに空気圧の制御およびソースを提供する調節器アセンブリとを含む。噴霧先端が、ハンドルの遠位端に提供され、かつ、二連式シリンジと流体連通することにより、その中に含まれている成分を混合する。
2009531142.tif 000002
【特許請求の範囲】
【請求項１】
外科処置における使用のための塗布器デバイスであって、該塗布器デバイスは、
ハンドルと、該ハンドルに取り外し可能に取り付けられた二連式シリンジとを有する塗布器アセンブリと、
該塗布器アセンブリに圧力のソースを提供するように該塗布器アセンブリに接続された調節器アセンブリと
を備えている、塗布器デバイス。
【請求項２】
前記ハンドルの遠位端に提供され、かつ、前記二連式シリンジと流体連通する噴霧先端をさらに備えている、請求項１に記載の塗布器デバイス。
【請求項３】
前記噴霧先端は、前記二連式シリンジから受け取られた第１の組成物と第２の組成物とを混合するように構成されている、請求項２に記載の塗布器デバイス。
【請求項４】
前記二連式シリンジは、第１の円筒と第２の円筒とを含み、各円筒は、近位端において圧力吸入ポートを含み、遠位端において流体排出ポートを含む、請求項１に記載の塗布器デバイス。
【請求項５】
前記第１の円筒と前記第２の円筒とは、少なくとも部分的には互いから離される、請求項４に記載の塗布器デバイス。
【請求項６】
前記第１の円筒と前記第２の円筒とは接合される、請求項４に記載の塗布器デバイス。
【請求項７】
前記第１の円筒と前記第２の円筒とのそれぞれは、その中を動くことができるように取り付けられたプランジャを含む、請求項４に記載の塗布器デバイス。
【請求項８】
前記ハンドルは、一対のクリップを含み、各クリップは、前記第１の円筒と前記第２の円筒とのうちの１つを該ハンドルの中に保持する、請求項４に記載の塗布器デバイス。
【請求項９】
前記ハンドルの遠位端に提供された噴霧先端をさらに備え、該噴霧先端は、前記第１の円筒と前記第２の円筒とにおける流体排出ポートと流体連通する、請求項４に記載の塗布器デバイス。
【請求項１０】
前記調節器アセンブリは、前記第１の円筒に圧力のソースを提供する第１の調節器と、前記第２の円筒に圧力のソースを提供する第２の調節器とを含む、請求項４に記載の塗布器デバイス。
【請求項１１】
前記第１の調節器と前記第２の調節器とはそれぞれ、前記第１の円筒と前記第２の円筒とのうちのいずれかにおける圧力が、所定のレベルを超えたときには、該第１の円筒と該第２の円筒とに圧力のソースを停止するように構成された安全装置機構を含む、請求項１０に記載の塗布器デバイス。
【請求項１２】
前記第１の調節器と前記第２の調節器とのうちの少なくとも１つが、そこから排出される圧力の量を変更するように調整可能である、請求項１０に記載の塗布器デバイス。
【請求項１３】
前記調節器アセンブリは、前記二連式シリンジの中に含まれる第１の組成物と第２の組成物とを混合するために、前記ハンドルの遠位端に形成された噴霧先端に噴霧圧のソースを提供する第３の調節器を含む、請求項４に記載の塗布器デバイス。
【請求項１４】
前記噴霧先端は、単一の流体排出ポートを有する、請求項２に記載の塗布器デバイス。
【請求項１５】
前記調節器アセンブリからの圧力の流れを制御するように該調節器アセンブリと関連付けられたコントローラと、該コントローラを動作するように前記ハンドルと関連付けられたアクチュエータとを有するアクチュエータアセンブリをさらに備えている、請求項１に記載の塗布器デバイス。
【請求項１６】
前記アクチュエータは、前記ハンドルに取り付けられたトリガと、接触スイッチとを含む、請求項１５に記載の塗布器デバイス。
【請求項１７】
前記噴霧先端の中に少なくとも部分的に配置されたスタティックミキサをさらに備えている、請求項２に記載の塗布器デバイス。
【請求項１８】
外科処置における使用のための塗布器デバイスであって、該塗布器デバイスは、
ハンドルと、該ハンドルに取り外し可能に取り付けられた二連式シリンジとを有する塗布器アセンブリであって、該二連式シリンジは、第１の円筒と第２の円筒とを含み、各円筒は、近位端において圧力吸入ポートを含み、遠位端において流体排出ポートを含む、塗布器アセンブリと、
該第１の円筒の中に含まれる第１の成分を射出するために該塗布器アセンブリに圧力のソースを提供し、該第２の円筒の中に含まれる第２の成分を射出するために該塗布器アセンブリに圧力のソースを提供するように、該塗布器アセンブリに動作可能に接続された調節器アセンブリと、
該ハンドルの遠位端に提供され、かつ、該二連式シリンジの該流体排出ポートと流体連通する噴霧先端であって、該噴霧先端は、該第１の成分と該第２の成分とを混合するように構成されている、噴霧先端と
を備えている、塗布器デバイス。
【請求項１９】
前記調節器アセンブリは、前記第１の円筒に空気圧を提供する第１の調節器と、前記第２の円筒に空気圧を提供する第２の調節器とを含む、請求項１８に記載の塗布器デバイス。
【請求項２０】
前記調節器アセンブリは、前記噴霧先端に空気圧を提供する第３の調節器を含む、請求項１８に記載の塗布器デバイス。
【発明の詳細な説明】
【技術分野】
【０００１】
本開示は、双対空気調節スプレー塗布器に関する。さらに詳細には、本開示は、二連式シリンジまたはカートリッジがハンドルに取り外し可能に取り付けられた塗布器デバイスであり、かつ、デバイスの塗布器アセンブリによって混合される組織粘着材または密閉材、例えば、接着剤、組織密閉材または骨セメントの成分または組成物を含む塗布器デバイスに関する。
【背景技術】
【０００２】
様々な外科処置の間、多くの場合に、組織における穿刺傷、切り傷または切開を閉じることが必要である。一般的に、これは、穿刺傷、漏れまたは切開を閉じる縫合糸またはステープルの使用によって行われる。しかしながら、近年、様々な合成および／または天然の粘着物質または密閉物質が、組織に塗布するために開発されている。最初は、粘着材または密閉材の組成物が単に混ぜ合わされ、塗布器デバイスまたは棒を用いて塗布されるだけであった。この技術における進歩が、外部ソースから組成物を受け取り、それらを組織の上に排出することにより組織の部位において混合されることを可能にするデバイスが提供されている。これらのデバイスは、多くの場合に、煩わしく、かつ、扱いにくいものであり、そして、様々な組成物を排出するために使用される圧力の量、および／または適切な混合比率を補正するために使用される圧力の量に制御をほとんど提供しないか、または全く提供しない。
【発明の開示】
【発明が解決しようとする課題】
【０００３】
従って、粘着材または密閉材の中に混合される別々の成分または組成物を含むカートリッジまたは二連式シリンジをハンドルに取り外し可能に取り付けられた自給式塗布器デバイスを提供することが、望ましくなり得る。デバイスの中で組成物を混合し、組織に対する塗布のための粘着材または密閉材の単一の組成物としてそれらを排出することが可能である自給式塗布器デバイスを有することもまた、望ましくなり得る。塗布器デバイスの中に含まれる成分の混合に対して調整を行うために、組成物のそれぞれに対する圧力の量を変更することが可能である塗布器デバイスを有することが、さらに望ましくなり得る。
【課題を解決するための手段】
【０００４】
本開示は、双対空気調節スプレー塗布器に関する。双対空気調節スプレー塗布器は、ハンドルと、ハンドルに取り外し可能に取り付けられた二連式シリンジとを有する塗布器アセンブリを含む。双対空気調節スプレー塗布器はまた、塗布器アセンブリに圧力のソースを提供するように塗布器アセンブリに接続された調節器アセンブリを含む。噴霧先端が、ハンドルの遠位端に提供され、かつ、二連式シリンジと流体連通することにより、その中に含まれている成分を混合する。開示された実施形態において、噴霧先端は、二連式シリンジから受け取られた第１の組成物と第２の組成物とを混合するように構成されている。代替の実施形態において、ハンドルと共に使用されるシリンジは、３つ以上の成分を混合するために３つ以上のチャンバまたは円筒を含み得る。
【０００５】
開示された実施形態において、二連式シリンジは、第１の円筒と第２の円筒とを含む。各円筒は、近位端において圧力吸入ポートを含み、円筒の遠位端において流体排出ポートを含む。第１の円筒と第２の円筒とは、別個に提供されるか、または単一のユニットとして接合され得る。円筒のそれぞれは、円筒の中を動くことができるように取り付けられたプランジャを含み、該プランジャが、圧力吸入ポートに提供される空気圧に応答して遠位方向に動くことにより、円筒の中に含まれる組成物を流体排出ポートに向けて、流体排出ポートから出るように強制する。噴霧先端は、前記第１の円筒と前記第２の円筒とにおける流体排出ポートと流体連通する。一対のクリップが、ハンドルの中に第１の円筒と第２の円筒とを保持するために、ハンドルに提供される。
【０００６】
調節器アセンブリは、第１の円筒に空気圧のソースを提供する第１の調節器と、第２の円筒に空気圧のソースを提供する第２の調節器とを含む。流れ制御ノブが、第１の調節器と第２の調節器とに提供され、該流れ制御ノブは、第１の調節器と第２の調節器とから排出される空気圧の量を変更する。さらに、任意の調節器によって感知された空気圧が所定の量を超える場合に、調節器は全ての調節器からの空気圧を止める安全装置機構を提供される。
【０００７】
調節器アセンブリは、さらに、第１の円筒と第２の円筒とから排出される組成物を混合するために、噴霧先端に噴霧空気圧のソースを提供する第３の調節器を含む。開示された噴霧先端は、単一の流体排出ポートを有することにより、混合された組成物、例えば、組織の密閉剤、接着剤、骨セメントなどを排出する。
【０００８】
開示された塗布器デバイスの実施形態は、アクチュエータアセンブリを含む。アクチュエータアセンブリは、調節器アセンブリからの圧力の流れを制御する調節器アセンブリと関連付けられたコントローラを含み、コントローラを動作するようにハンドルと関連付けられたアクチュエータも含む。開示された実施形態において、アクチュエータは、ハンドルの中に配置された接触スイッチであり、トリガが、接触スイッチを作動するために前記ハンドルに旋回するように取り付けられる。
【０００９】
開示された実施形態において、塗布器デバイスは、噴霧先端の中に少なくとも部分的に配置されたスタティックミキサを備えている。
【発明を実施するための最良の形態】
【００１０】
本開示の双対空気調節スプレー塗布器の実施形態が、本明細書において図面を参照して開示される。
【００１１】
本開示の双対空気調節スプレー塗布器の実施形態が、図面を参照して詳細に記述され、図面においては、同様な参照番号は、いくつかの図面のそれぞれにおいて同一な要素または対応する要素を示す。当該分野においては一般的であるように、用語「近位」は、ユーザまたはオペレータ、例えば、外科医または内科医により近い部分またはコンポーネントを指し、用語「遠位」は、ユーザからより遠くに離れた部分またはコンポーネントを指す。
【００１２】
図１は、本開示の双対空気調節スプレー塗布器または塗布器デバイス１０の一実施形態を例示しており、該双対空気調節スプレー塗布器または塗布器デバイス１０は、概して、塗布器アセンブリ１２と調節器アセンブリ１４とを含む。塗布器アセンブリ１２は、ハンドル１６と、ハンドル１６に取り外し可能に取り付けられた二連式シリンジ１８とを含む。噴霧先端２０が、二連式シリンジ１８の両方の部分に含まれる組成物を混合するために提供される。本明細書において使用される場合、組成物および成分という用語は、相互交換可能に使用される。特に、ハンドル１６は、細長い部分２２と、細長い部分２２から垂下するピストルグリップ２４とを含む。示されているように、噴霧先端２０は、細長い部分２２の遠位端２６に提供されている。噴霧先端２０は、細長い部分２２の一体化された部分として形成されるか、または別々のコンポーネントとして形成され得る。単一の排出チューブ２８が、噴霧先端２０に提供されるか、または噴霧先端２０付近に提供されることにより、混合された組成物を組織に塗布する。
【００１３】
二連式シリンジ１８は、第１の円筒３０と第２の円筒３２とを含む。第１の円筒３０と第２の円筒３２とはそれぞれ、２部分から成る混合物の第１の成分と第２の成分とを含むために提供される。第１の円筒３０と第２の円筒３２とはそれぞれ、別個のコンポーネントとして提供され得るか、または単一のカートリッジタイプのユニットとして接合されて供給され得る。第１の円筒３０と第２の円筒３２とは、任意の適切な材料、例えば、ステンレス鋼、ガラス、ポリマなどで形成され得る。ガラスまたはポリマ材料で形成されるときには、第１の円筒３０と第２の円筒３２とのうちのいずれか、または両方が、第１の円筒３０および／または第２の円筒３２の中に残っている組成物の量を可視的に決定するために透明または半透明であり得る。上に示されたように、二連式シリンジ１８は、ハンドル１６内に取り付けられる。さらに詳細には、二連式シリンジ１８は、ハンドル１６の細長い部分２２の中に取り付けられる。
【００１４】
調節器アセンブリ１４は、概して、第１の円筒３０に空気圧のソースを提供する第１の調節器３４と、第２の円筒３２に空気圧のソースを提供する第２の調節器３６とを含む。第１の調節器３４と第２の調節器３６とはそれぞれ、第１の円筒３０と第２の円筒３２との両方に等しい空気圧を提供するように調整され得るか、または円筒３０と円筒３２との中に含まれる組成物の混合比率に応じて、第１の円筒３０と第２の円筒３２とに異なるレベルの空気圧を供給し得る。第１の圧力ライン３８が、それの遠位端４０において第１の円筒３０に接続され、それの近位端４２において第１の調節器３４に接続される。同様に、第２の圧力ライン４４が、それの遠位端４６において第２の円筒３２に接続され、それの近位端４８において第２の調節器３６に接続される。第１の圧力ライン３８および第２の圧力ライン４４は、第１の調節器３４および第２の調節器３６から第１の円筒３０および第２の円筒３２のそれぞれに空気圧を伝える。
【００１５】
第３の調節器４９が提供されることにより、噴霧先端２０に空気圧のソースを供給する。第３の圧力ライン５０が、第３の調節器４９とハンドル１６との間に提供される。第３の圧力ライン５０の遠位端５２は、ピストルグリップ２４を貫通して接続され、第３の圧力ライン５０の近位端５４は、第３の調節器４９に接続される。
【００１６】
塗布器デバイス１０はまた、アクチュエータアセンブリ５６を含むことにより、調節器アセンブリ１４から塗布器アセンブリ１２への空気圧の流れを開始したり、停止したりする。アクチュエータアセンブリ５６は、調節器アセンブリ１４とトリガ６０とに動作するように関連付けられたコントローラ５８を含み、該トリガ６０は、ピストルグリップ２４に取り付けられている。制御ケーブル６２が、それの近位端６４においてコントローラ５８に接続され、それの遠位端６６においてピストルグリップ２４に接続される。トリガ６０を押し下げることが、本明細書において以下でさらに詳細に記述される方法で、コントローラ５８に調節器アセンブリ１４を動作させる。
【００１７】
示されているように、ハンドル１６は、第１のクリップ６８と第２のクリップ７０とを含むことにより、ハンドル１６の細長い部分２２の中に、第１の円筒３０および第２の円筒３２をそれぞれ保持する。
【００１８】
第１の調節器３４と第２の調節器３６と第３の調節器４９とによって提供される圧力のレベルは、同じ圧力レベルまたは異なる圧力レベルに手動で調整され得る。第１の調整ノブまたは流れ制御ノブ７２が、第１の調節器３４に提供され、第２の調整ノブまたは流れ制御ノブ７４が、第２の調節器３６に提供されることにより、圧力レベルを調整する。同様に、第３の調整ノブまたは流れ制御ノブ７６が、第３の調節器４９に提供されることにより、噴霧先端２０に対する圧力レベルを調整する。特に、第３の調節器４９を通って流れる空気圧が、動作中に第１のレベルに設定されることにより、噴霧先端２０の中において第１の成分と第２の成分とを混合することを促進し得る。さらに、第１の調節器３４と第２の調節器３６とが停止されたとき、または二連式シリンジ１８が存在しない際には、第３の調節器４９によって提供される圧力レベルが第２のレベルに設定されることにより、噴霧先端２０または排出チューブ２８の中に含まれるあらゆる残余の成分を洗浄すること、または取り除くことを容易にし得る。
【００１９】
ここで、図２を参照すると、上に示されたように、二連式シリンジ１８は、第１の円筒３０と第２の円筒３２とを含む。第１のプランジャ７８が、第１の円筒の中を動くことができるように取り付けられ、第１の円筒３２から噴霧先端２０の中に第１の成分を排出するように提供される。第１の円筒３２は、第１の排出チューブ８０を含み、該第１の排出チューブ８０は、噴霧先端２０と流体連通している。第１の円筒３０はまた、第１の圧力ライン３８の遠位端４０に対する接続のための第１の圧力引込口８２を含む。同様に、第２の円筒３２は、その中を動くことができるように取り付けられた第２のプランジャ８４を含むことにより、噴霧先端２０の中に第２の組成物を排出する。第２の円筒３２もまた、噴霧先端２０と流体連通する第２の排出チューブ８６と、第２の圧力ライン４４の遠位端４６に対する接続のための第２の圧力引込口８８とを含む。示されているように、第１の圧力引込口８２と第２の圧力引込口８８とが肋材を付けられることにより、そこに第１の圧力ライン３８と第２の圧力ライン４４とを固定する。第１の圧力引込口８２と第２の圧力引込口８８とのうちの少なくとも１つが、ねじを切られることも想定される。
【００２０】
図２を続けて参照すると、二連式シリンジ１８は、ハンドル１６の中に取り外し可能に取り付けられる。ハンドル１６の細長い部分２２は、第１の円筒３０の受け取りのための第１のチャネル９０と、第２の円筒３２の受け取りのための第２のチャネル９２とを提供される。第１の噴霧ポート９４が、第１の排出チューブ８０の受け取りのために噴霧先端２０に提供される。第２の噴霧ポート９６が、第２の排出チューブ８６の受け取りのための噴霧先端２０に提供される。
【００２１】
ハンドル１６の中での長手方向の動きに対して二連式シリンジ１８を固定するために、第１の円周突起９８が第１の円筒３０に提供され、ハンドル１６における第１のリセス１００と係合可能となる。同様に、第２の円周突起１０２が第２の円筒３０に提供され、ハンドル１６における第２のリセス１０４と係合可能となる。他の適切な方法が、ハンドル１６の中に二連式シリンジ１８を固定するために使用され得る。
【００２２】
第３の圧力引込口ポート１０６が、第３の圧力ライン５０の遠位端５２に対する接続のために、ハンドル１６に提供される。第３の圧力引込口ポート１０６は、本明細書において以下で詳細に記述される方法で、噴霧先端２０と流体連通している。
【００２３】
ここで図２、図３および図４を参照すると、ハンドル１６の細長い部分２２の中で二連式シリンジ１８を保持するための第１のクリップ６８および第２のクリップ７０の動作が、記述されている。示されているように、第１のクリップ６８は、直線状の部分１０８と角度を付けられた部分１１０とを含む。第１のクリップ６８は、細長い部分２２に軸旋回するように取り付けられており、直線状の部分１０８が細長い部分２２に形成された第１のリセス１１２から間隔を空けられた開位置から、直線状の部分１０８が第１のリセス１１２の中で実質的に同一平面上にある閉位置まで動くことができる。閉位置において、角度を付けられた部分１１０が、ハンドル１６に形成された第１のチャネル９０の中に円筒３０を固定する。同様に、第２のクリップ７０は、細長い部分２２に軸旋回するように取り付けられており、直線状の部分１１４が第２のリセス１１８から間隔を空けられた開位置から、直線状の部分１１４が第２のリセス１１８の中で実質的に同一平面上にある閉位置まで動くことができる。閉位置において、角度を付けられた部分１１６が、ハンドル１６に形成されたリセス９２の中に第２の円筒３２を固定する。上に示されたように、二連式シリンジ１８の円筒３０と円筒３２とは、単一のユニットとして提供され得るか、別個に提供され得る。
【００２４】
図５Ａおよび図５Ｂを参照すると、第１のプランジャ７８および第２のプランジャ８４の動作が記述される。図５Ａに示されたように、最初の位置において、第１のプランジャ７８および第２のプランジャ８４は、第１の円筒３０および第２の円筒３２の中でそれぞれ最近位の位置にある。第１の組成物Ａが第１の円筒３０の中に含まれ、第２の組成物Ｂが、第２の円筒３２の中に含まれる。
【００２５】
ここで図５Ｂを参照すると、空気圧が、第１の圧力引込口８２の中に矢印Ｃの方向に向かって導入されると、空気圧が第１の円筒３０の中で遠位方向に第１のプランジャ７８を駆動する。第１のプランジャ７８が遠位方向に動くと、第１のプランジャ７８が第１の組成物Ａを遠位方向に強制し、第１の排出チューブ８０の外に矢印Ｅの方向に向かって強制する。同様に、空気圧が、第１の圧力引込口８８の中に矢印Ｄの方向に向かって導入されると、空気圧が第２の円筒３２の中で遠位方向に第２のプランジャ８４を駆動することにより、第２の組成物Ｂを第２の排出チューブ８６から矢印Ｆの方向に向かって強制する。上に示されたように、第１の排出チューブ８０および第２の排出チューブ８６は、噴霧先端２０と流体連通している。従って、第１の組成物Ａと第２の組成物Ｂとが噴霧先端２８の中に強制されることにより、その中で混合させられる。
【００２６】
図７Ａに例示されているように、噴霧先端２０の一部分がスタティックミキサ２００を含むことが、想定される。例えば、スタティックミキサ２００は、排出チューブ２８および／または（以下で考察される）噴霧チャンバ１２０の中に少なくとも部分的に配置され得る。さらに、スタティックミキサ２００は、複数のバッフル２０２などを含み得る。この実施形態において、第１の組成物Ａと第２の組成物Ｂとが、スタティックミキサ２００を通るように強制されると、組成物Ａと組成物Ｂとが、バッフル２０２によって繰り返し分割され、再統合され、実質的に均一な混合物を作り出し得る。この実施形態のバッフル２０２は、第１の組成物Ａと第２の組成物Ｂとがバッフルを通過しても、実質的に動きのないままであり得る。次に、混合物は標的部位に向けて排出され得る。
【００２７】
第１の成分と第２の成分、すなわち、第１の組成物Ａと第２の組成物Ｂとを混合し噴霧し、次に、それらを塗布器デバイス１０から排出する塗布器デバイス１０の動作が記述される。二連式シリンジ１８をハンドル１６と組み立てる前に、所望の組成物Ａおよび組成物Ｂを含む円筒３０および円筒３２を有する適切な二連式シリンジ１８が、意図された使用に応じて選択される。図１および図２を参照すると、二連式シリンジ１８が、最初に、第１の排出チューブ８０を第１の噴霧ポート９４の中に配置し、第２の排出チューブ８６を第２の噴霧ポート９６の中に配置することによってハンドル１６の中に挿入される。第１の円周突起９８が第１のリセス１００の中に配置され、第２の円周突起１０２が第２のリセス１０４の中に配置される。上に示されたように、第１の円筒３０および第２の円筒３２は、ハンドル１６の細長い部分２２の中に形成された第１のチャネル９０および第２のチャネル９２の中に受け取られる。その後、二連式シリンジ１８は、円筒３０および円筒３２それぞれの周りを、第１のクリップ６８および第２のクリップ７０を軸旋回させることによってハンドル１６に固定される。
【００２８】
図１および図２を参照すると、第１の圧力ライン３８の遠位端４０が、第１の円筒３０における第１の圧力引込口８２を覆って配置される。同様に、第２の圧力ライン４４の遠位端４６が、第２の円筒３２における第２の圧力引込口８８を覆って配置される。第３の圧力ライン５０の遠位端５２は、第３の圧力引込口１０６を覆って配置される。塗布器デバイス１０は、コントローラ５８に永久的に付着される制御ケーブル６２を提供され得るか、または制御ケーブル６２から取り外すことができる。
【００２９】
図７Ａを参照すると、噴霧先端２０は、排出チューブ２８と流体連通する噴霧チャンバ１２０を含む。示されているように、円筒３０および円筒３２の第１の排出チューブ８０および第２の排出チューブ８６はそれぞれ、噴霧チャンバ１２０と流体連通している。上に示されたように、第３の圧力引込口１０６は、噴霧先端２０と流体連通し、その結果、噴霧チャンバ１２０と流体連通する。圧力ボア１２２が、第３の圧力引込口１０６から噴霧チャンバ１２０に延びている。従って、第３の圧力引込口１０６を通るように強制された空気圧が噴霧チャンバ１２０の中に導かれることにより、第１の排出チューブ８０と第２の排出チューブ８６とのそれぞれから排出される組成物Ａと組成物Ｂとの混合および噴霧を促進する。噴霧チャンバ１２０に対する代替案として、排出チューブ８０と排出チューブ８６とが、排出チューブ２８に直接的に接続されることにより、排出チューブ２８の中で組成物を混合し得る。この実施形態において、圧力ボア１２２がまた、排出チューブ２８と直接的に流体連通することにより、排出チューブ２８の中の組成物を混合し、排出空気圧のソースを提供する。
【００３０】
図８Ａを参照すると、アクチュエータアセンブリ５６のさらなるコンポーネントが記述される。接触スイッチ１２４が、ピストルグリップ２４の中に配置され、制御ケーブル６２に接続される。制御ケーブル６２は、ピストルグリップ２４の中に入り、グロメット１２６によってピストルグリップ２４の中に支持される。トリガ６０は、旋回点１２８において細長い部分２２に軸旋回するように取り付けられている。トリガ６０は、塗布器デバイス１０を作動するために、ディプレッサ１３０を接触スイッチ１２４に対して係合し動かすように軸旋回可能である。ディプレッサ１３０は、スプリング１３２によって接触スイッチ１２４から離れるように付勢される。
【００３１】
ここで図６、図７Ｂおよび図８Ｂを参照すると、塗布器デバイス１０を作動させるために、調節器の流れ制御ノブ７６、流れ制御ノブ７４、および流れ制御ノブ７２が、適切なレベルに設定される。トリガ６０がスプリング１３２の付勢に抵抗して押し下げられ、圧低器１３０を動かし、接触スイッチ１２４と係合する。これが、コントローラ５８を作動させ、次に、該コントローラ５８が、第１の調節器３４を作動させ、空気圧ソースの第１のソースを圧力ライン３８を介して第１の円筒３０に提供し、そして、第２の調節器３６を作動させ、該第２の調節器３６は、空気圧の第２のソースを圧力ライン４４を介して第２の円筒３２に提供する。円筒３０および円筒３２内の空気圧が、プランジャ７８およびプランジャ８４を遠位方向に駆動し、第１の組成物Ａおよび第２の組成物Ｂを、プランジャ７８およびプランジャ８４それぞれの排出チューブ８０および排出チューブ８６に向けて強制する。このようにして、第１の組成物Ａおよび第２の組成物Ｂが、噴霧先端２０の噴霧チャンバ１２０の中に強制される。
【００３２】
トリガ６０が押し下げられると、トリガ６０は第３の調節器４９も作動させ、該第３の調節器４９は、圧力ライン５０および細長い部分２２内の圧力ボア１２２を通り、噴霧チャンバ１２０に入る空気圧の流れをもたらす。空気圧が噴霧チャンバ１２０の中に強制されると、空気圧は、組成物Ａと組成物Ｂとを混合し噴霧することにより、単一の組成物Ａ＋Ｂを形成し、該単一の組成物Ａ＋Ｂは、組織または骨に対する塗布のために、塗布器デバイス１０から排出チューブ２８を通って排出される。
【００３３】
オペレータが、物質、例えば、組織接着剤または密閉剤、骨セメントなどを塗布する塗布器デバイス１０を使用することを終了すると、トリガ６０が解放され、それにより塗布器デバイスの作動を停止する。その後、クリップ６８とクリップ７０とが細長い部分２２から離れるように軸旋回させられることにより、二連式シリンジ１８を取り外し得る。塗布器デバイス１０のさらなる使用が必要である場合には、再び、トリガ６０が押し下げられ、第３の調節器４９から噴霧チャンバ１２０および排出チューブ２８の中に入る空気の流れに、その中に含まれるあらゆる残余の組成物を取り除かせる。さらなる組成物または異なる組成物を含む次の二連式シリンジ１８が、ハンドル１６の中に設置され、手順が繰り返され得る。
【００３４】
噴霧先端２０、または塗布器デバイス１０の別の適切な部分が使い捨てであることが想定される。噴霧ポート９４および噴霧ポート９６が、細長い部分２２の遠位端２６の近くに挿入可能である取り外し可能なインサート（図示せず）に配置されることがさらに想定される。インサートもまた使い捨てであり得る。
【００３５】
様々な改変が、本明細書において開示された実施形態に行われ得ることが理解される。例えば、開示された塗布器デバイスは、２つの組成物を混合するために二連式シリンジを使用するが、複数のバレルのシリンジが、追加の調節器と共に提供されることにより、塗布器デバイスを介して３つ以上の組成物を混合し得ることもまた想定される。さらに、上に示されたように、噴霧チャンバの使用に対する代替案として、円筒の排出チューブが、噴霧先端の排出チューブの中に直接的に導かれ、空気圧の第３のソースが、噴霧先端の排出チューブの中に直接的に導かれることにより、排出チューブの中で直接的に組成物を混合し得る。さらに、塗布器デバイスおよび調節器デバイスは、圧力ラインおよび制御ラインによって接続された別々のユニットとして記述されてきたが、コントローラを含む調節器アセンブリは、単一の小型のユニットとして塗布器アセンブリの中に完全に含まれ得る。さらにまた、流体もしくは気体、例えば、食塩水、油など、またはそれらの組み合わせを駆動する他のソースが、圧力を駆動するソースとしての空気の代替案として、または圧力を駆動するソースとしての空気と組み合わせて使用され得る。従って、上の記述は、限定として解釈されるべきではなく、特定の実施形態の単なる例示として解釈されるべきである。当業者は、本明細書に添付された特許請求の範囲の範囲および精神の範囲内で他の改変を想定し得る。
【図面の簡単な説明】
【００３６】
【図１】図１は、本開示の実施形態に従った塗布器アセンブリの斜視図である。
【図２】図２は、図１の塗布器アセンブリの斜視図であり、二連式シリンジがピストルグリップハンドルから分離されている。
【図３】図３は、図１および図２の塗布器アセンブリの上面図である。
【図４】図４は、図１〜図３の塗布器アセンブリの側面図である。
【図５Ａ】図５Ａは、図１〜図４の塗布器アセンブリの二連式シリンジの斜視図である。
【図５Ｂ】図５Ｂは、動作中の、図１〜図５Ａの塗布器アセンブリの二連式シリンジの斜視図である。
【図６】図６は、動作中の、図１〜図５の塗布器アセンブリの斜視図である。
【図７Ａ】図７Ａは、部分的に断面で示され、かつ、作動前の、図１〜図６の塗布器アセンブリの上面図である。
【図７Ｂ】図７Ｂは、部分的に断面で示され、かつ、作動中の、図１〜図７Ａの塗布器アセンブリの上面図である。
【図８Ａ】図８Ａは、部分的に断面で示され、かつ、作動前の、図１〜図７の塗布器アセンブリの側面図である。
【図８Ｂ】図８Ｂは、部分的に断面で示され、かつ、作動中の、図１〜図８Ａの塗布器アセンブリの側面図である。
【図１】
2009531142.tif 000003
【図２】
2009531142.tif 000004
【図３】
2009531142.tif 000005
【図４】
2009531142.tif 000006
【図５Ａ】
2009531142.tif 000007
【図５Ｂ】
2009531142.tif 000008
【図６】
2009531142.tif 000009
【図７Ａ】
2009531142.tif 000010
【図７Ｂ】
2009531142.tif 000011
【図８Ａ】
2009531142.tif 000012
【図８Ｂ】
2009531142.tif 000013
【国際調査報告】
2009531142.tif 000014